(57)【要約】【課題】  小型情報処理装置における最適な操作方法を提供する。【解決手段】  少なくとも電源ＯＦＦ、撮影モード、再生モードの３ポジションを含む、電源スイッチと、各モード毎にあらかじめ定められた機能選択の為のランチャー画面を表示する手段と、実行する機能を選択する為の方向指示キー（十字キー、カーソルキー）と、を有する装置において、電源スイッチによって、電源投入時に選択されたモードを判別するモード判別手段と、方向指示キーが押されているか否か、及びどの方向指示キーが押されているかを判別する方向指示キー判別手段と、前記モード判別手段と方向指示キー判別手段の判別結果に基づき、電源投入時に方向指示キーが押されている場合には対応する機能を起動し、電源投入時に方向指示キーが押下されていない場合には選択されたモードに対応するランチャー画面を表示する、ことを特徴とする小型情報処理装置における操作方法。【選択図】  図２
2006246020.tif 000002
【特許請求の範囲】
【請求項１】
少なくとも４方向以上の方向を入力する方向指示キーと
起動する機能を表すアイコンを前記方向指示キーで指示可能な方向に配置したランチャー画面表示手段とを備え、
電源投入時に前期方向指示キーの押下げ状態を検出する方向指示キー判別手段と、前記方向指示キー判別手段の結果、方向指示キーが押されていない時は前記ランチャー画面表示手段を起動し、方向指示キー判別手段の結果、方向指示キーが押されていた時は前記ランチャー画面に配置されたアイコンのうち入力された方向と合致するアイコンの機能を起動する、
小型情報処理装置における操作方法。
【請求項２】
請求項１の方法に加え、
電源ＯＦＦを含む複数のモードで立ち上がるための複数のＯＮポジションを有する電源ＳＷと、
電源投入時に前記ＯＮポジションを検出するＯＮポジション検出手段とを備え、
前記ＯＮポジション検出手段の結果と前記方向指示キー判別手段の結果に基づく組み合わせによってあらかじめ定められた機能を起動する、
ことを特徴とする請求項１記載の小型情報処理装置における操作方法。
【発明の詳細な説明】
【技術分野】
【０００１】
本発明は、デジタルカメラなどの小型情報処理装置における操作方法に関する。
【背景技術】
【０００２】
従来技術の第一の例として、デジタルカメラにおいては、まず電源投入後にメニューボタン等によりメニューリストを表示し、そこから選択・決定後はじめて目的の機能を起動することができた。
【０００３】
同様にパソコンと等においては、メニューの替わりにアイコンを表示し、カーソルキーやポインタで指示し起動する方法が用いられている。
【０００４】
また、第二の例としては、特開２００１−２１１３６８のように機能を配したダイアルより目的の機能を選択するという方法もあった。
【特許文献１】特開２００１−２１１３６８号公報
【発明の開示】
【発明が解決しようとする課題】
【０００５】
しかしながら、第一及び第二の例では、目的の機能の選択までに電源投入と機能選択の２段階の操作が必要であり、起動に時間がかかる為、咄嗟に撮影したい時にチャンスを逃してしまう、という問題があった。
【０００６】
また、第二の例では、操作時間が多少早くなるものの、特別なダイアルの存在が小型化への障壁になるという問題もあった。
【課題を解決するための手段】
【０００７】
本発明はかかる問題点を鑑みてなされたものであり、少なくとも４方向以上の方向を入力する方向指示キーと、起動する機能を表すアイコンを前記方向指示キーで指示可能な方向に配置したランチャー画面表示手段とを備え、電源投入時に前期方向指示キーの押下げ状態を検出する方向指示キー判別手段と、前記方向指示キー判別手段の結果、方向指示キーが押されていない時は前記ランチャー画面表示手段を起動し、方向指示キー判別手段で方向指示キーが押されていた時は前記ランチャー画面に配置されたアイコンのうち、入力された方向と合致するアイコンの機能を起動することで前記課題を解決した。
【０００８】
さらに上記解決方法の応用として、上記解決手段に加え、電源ＯＦＦを含む複数のモードで立ち上がるための複数のＯＮポジションを有する電源ＳＷを備え、各モード毎に上記解決手段を備えることによって、電源投入時のモード判別手段と前記方向指示キー判別手段の結果に基づく組み合わせによりあらかじめ定められた機能を起動することで選択すべき機能が多数ある場合でも前記課題を解決する事が可能となった。
【発明の効果】
【０００９】
以上説明したように、本発明によれば、実行する機能を選択する為の方向指示キー（十字キー、カーソルキー）と方向指示キーの押下方向と対応した機能を表示するランチャー画面表示手段とを持つことにより、操作を覚え易くしたと同時に、十字キーを選択しながら電源を投入した場合には、ランチャーアイコン表示画面を省略して、目的の機能を一気に起動するショートカット機能を実現するという効果がある。
【００１０】
さらに電源スイッチポジションによって複数のモードが選択でき、モード数×方向指示キー数  の機能をすばやく起動出来るという優れた効果がある。
【発明を実施するための最良の形態】
【００１１】
以下、図面を用いて本発明の１実施形態を詳細に説明する。
【００１２】
図１は、本実施形態に係る情報処理装置の１実施形態のハードウェア構成を示すブロック図である。
【００１３】
同図において、１は、画像を入力する画像入力手段である。２は、１で入力された画像を表示する画像表示手段である。
【００１４】
３は、入出力Ｉ／Ｆ部であり、指示ステップ２のデータ入力を受け、画像表示ステップ１に出力する。
【００１５】
４は、ＣＰＵであり、各種処理のための演算、論理判断等を行ない、バス７に接続された各構成要素を制御する。
【００１６】
５は、プログラムメモリであり、フローチャートにつき後述する処理手順を含むＣＰＵ４による制御のためのプログラムを格納するメモリである。プログラムメモリ５は、ＲＯＭであってもよいし、外部記憶装置などからプログラムがロードされるＲＡＭであってもよい。
【００１７】
６は、データメモリであり、各種処理で生じたデータを格納する。データメモリ６は、例えばＲＡＭとする。
【００１８】
７は、ファイルＤＢであり、データメモリ上に、入力された複数のファイルデータが格納されている。
【００１９】
８は、履歴ＤＢであり、データメモリ上に、作業履歴が格納されている。
【００２０】
９は、ＣＰＵ４の制御の対象とする構成要素を指示するアドレス信号、各構成要素を制御するためのコントロール信号、各構成機器相互間でやりとりされるデータの転送を行うためのバスである。
【００２１】
図２は、本実施形態に係る一実施例のシステム全体の流れを示す図である。
【００２２】
同図に示すように、システムが起動されると、ステップｓ２０１において、本体の電源がｏｎである場合には、ステップｓ２０２に進み電源ＯＮ処理を行う。
【００２３】
次に、ステップｓ２０３において、モード切替スイッチ（図６で説明）の位置により現在のモードを判別し、現在のモードが再生モードである場合には、ステップｓ３０４に進む（図３参照）。
【００２４】
ステップｓ２０３において、現在のモードが撮影モードである場合には、ステップｓ２０４に進み十字キーイベントをチェックし、十字キーが押されている場合には、その位置により、ステップｓ２０５からステップｓ２０８に進み、それぞれ割り当てられた処理を実行する。
【００２５】
十字キー上方向押下の場合には、ステップｓ２０５に進み、機能１に割り当てられた動画撮影機能を起動し、十字キー下方向押下の場合には、ステップｓ２０６に進み、機能２に割り当てられた静止画撮影機能を起動し、十字キー右方向押下の場合には、ステップｓ２０７に進み、機能３に割り当てられた録音機能を起動し、十字キー左方向押下の場合には、ステップｓ２０８に進み、この場合、機能４には何も割り当てられていない為何も起動しない。
【００２６】
次にステップｓ２０９において、ランチャー画面表示ステップを起動し、選択された機能の初期画面（図４参照）を表示する。
【００２７】
ステップｓ２０４において、十字キーが押されていない場合には、ランチャーアイコン表示ステップにおいて、モードに対応したランチャー画面（図４参照）を表示する。
【００２８】
続く、ステップｓ２１０において、ユーザによる指示入力が行われた場合には、ステップｓ２１１に進み、入力されたイベントに応じた処理を行う。
【００２９】
ステップｓ２１１において入力されたイベントが十字キーであった場合には、ステップｓ２０４へ戻る。
【００３０】
ステップｓ２１１においてイベントがＯＦＦであった場合には、ステップｓ２１２に進み、Ｔｉｍｅカウント処理を起動し、ステップｓ２１３において一定時間経過したと判断された場合にはステップｓ２１４に進み、システム終了ステップを起動しシステムを終了する。
【００３１】
ステップｓ２１０において、指示入力がない場合には、ステップｓ２０９のランチャー画面表示ステップに戻り、入力を待つ。
【００３２】
ステップｓ２１１において、入力されたイベントがその他であった場合には、ステップｓ２１５に進みその他の処理を起動し、ステップｓ２０９のランチャー画面表示ステップに戻り入力を待つ。
【００３３】
ステップｓ２１１において、入力されたイベントが十字キーによるものであった場合には、ステップｓ２０４に進み、以降の対応する処理を行う。
【００３４】
ステップｓ２１３において、切替スイッチがＯＦＦであった場合には、ステップｓ２０３に進み、以降の対応する処理を行う。
【００３５】
図３は、本実施形態に係る一実施例のシステム全体の流れを示す図である。
【００３６】
現在のモードが再生モードである場合には図２のｓ２０３において再生モードが判別され、同図に示すように、ステップｓ３０４に進み十字キーイベントをチェックし十字キーが押されている場合には、その位置により、ステップｓ３０５からステップｓ３０８に進み、それぞれ割り当てられた処理を実行する。
【００３７】
十字キー上方向押下の場合には、ステップｓ３０５に進み、機能１に割り当てられたフォトビューワ機能を起動し、十字キー下方向押下の場合には、ステップｓ３０６に進み、機能２に割り当てられたディレクトリ表示機能を起動し、十字キー右方向押下の場合には、ステップｓ３０７に進み、機能３に割り当てられた音声再生機能を起動し、十字キー左方向押下の場合には、ステップｓ３０８に進み、機能４に割り当てられたＭＰ３再生機能を起動する。
【００３８】
次にステップｓ３０９において、ランチャー画面表示ステップを起動し、選択された機能の初期画面（図５参照）を表示する。
【００３９】
続く、ステップｓ３１０において、ユーザによる指示入力が行われた場合には、ステップｓ３１１に進み、入力されたイベントに応じた処理を行う。
【００４０】
ステップｓ３１１において入力されたイベントが十字キーであった場合には、ステップｓ３０４へ戻る。
【００４１】
ステップｓ３１１においてイベントがＯＦＦであった場合には、ステップｓ２１２に進み、Ｔｉｍｅカウント処理を起動し、ステップｓ２１３において一定時間経過したと判断された場合にはステップｓ２１４に進み、システム終了ステップを起動しシステムを終了する。
【００４２】
ステップｓ２１０において、指示入力がない場合には、ステップｓ２０９のランチャー画面表示ステップに戻り、入力を待つ。
【００４３】
ステップｓ２１１において、入力されたイベントがその他であった場合には、ステップｓ２１５に進みその他の処理を起動し、ステップｓ２０９のランチャー画面表示ステップに戻り入力を待つ。
【００４４】
ステップｓ２１１において、入力されたイベントが十字キーによるものであった場合には、ステップｓ２０４に進み、以降の対応する処理を行う。
【００４５】
ステップｓ２１３において、切替スイッチがＯＦＦであった場合には、ステップｓ２０３に進み、以降の対応する処理を行う。
【００４６】
図４は、本実施形態における実施例のうち撮影モードの場合について説明ずる図である。
【００４７】
４０１は、モード切替スイッチであり、電源スイッチを兼ね、撮影モードと再生モードの切替はＯＦＦを経由して行われる。
【００４８】
この場合は、撮影モードで起動中であることを示す。
【００４９】
４０２は、装置のディスプレイに表示された、撮影モード時の初期画面であるランチャーアイコン表示画面であり、４０３は、同画面に対応してハードキーである十字キーに割り付けられた機能を説明している。
【００５０】
４０４は、電源投入と同時に、十字キーにて目的の機能を一気に起動させるショートカット起動時の初期画面表示例であり、この場合、十字キーを静止画撮影の割り付けられた下方向に押しながら電源投入した場合の例として、装置のディスプレイには静止画撮影時のカメラファインダー画面が表示されている。
【００５１】
図５は、本実施形態における実施例のうち再生モードの場合について説明ずる図である。
【００５２】
５０１は、モード切替スイッチであり、電源スイッチを兼ね、撮影モードと再生モードの切替はＯＦＦを経由して行われる。
【００５３】
この場合は、再生モードで起動中であることを示す。
【００５４】
５０２は、装置のディスプレイに表示された、再生モード時の初期画面であるランチャーアイコン表示画面であり、５０３は、同画面に対応してハードキーである十字キーに割り付けられた機能を説明している。
【００５５】
５０４は、電源投入と同時に、十字キーにて目的の機能を一気に起動させるショートカット起動時の初期画面表示例であり、この場合、十字キーをＭＰ３再生の割り付けられた左方向に押しながら電源投入した場合の例として、装置のディスプレイにはＭＰ３再生のコントロール画面が表示されている。
【００５６】
図６は、本実施形態における装置の一例である。
【００５７】
６０１は、装置本体であり、６０２はディスプレイである。６０３は十字キーであり、上下左右の各方向に、図４、図５で説明するように、それぞれ機能が割り付けられている。
【００５８】
６０４はモード切替スイッチであり、再生モードと撮影録音モードとを切り替え、かつ電源スイッチを兼ねる。
【００５９】
以下に、具体的な動作を、上記フローを用いながら流れを追って説明する。
【００６０】
図１のようなハードウェア構成と、図２のようなシステム構成を持つ、図６のような装置概観を持つデジタルカメラにおいて、例えば、ユーザが撮影モードで電源を投入したとすると、ｓ２０３で撮影モードであると判断され、ｓ２０４に進み、ここでは十字キー未選択であるので、ｓ２０９に進み図４の４０１にあるようなランチャーアイコン表示画面が初期画面として表示される。
【００６１】
その後、電源がＯｆｆされた状態から、ユーザが十字キーの下方向を押下しながら電源を投入したとする。
【００６２】
この時、ｓ２０３で撮影モードであると判断され、ｓ２０４に進み、ここでは十字キー下方向が選択されているので、ｓ２０６に進み、静止画撮影機能が起動され、図４の４０３にあるように、ファインダーに映った画像がディスプレイに表示される。
【００６３】
また、別の動作例として、例えば、ユーザが再生モードで電源を投入したとすると、ｓ２０３で再生モードであると判断され、ｓ３０４に進み、ここでは十字キー未選択であるので、ｓ３０９に進み図５の５０１にあるようなランチャーアイコン表示画面が初期画面として表示される。
【００６４】
その後、電源がＯｆｆされた状態から、ユーザが十字キーの左方向を押下しながら電源を投入したとする。
【００６５】
この時、ｓ３０３で撮影モードであると判断され、ｓ３０４に進み、ここでは十字キー左方向が選択されているので、ｓ３０８に進み、ＭＰ３再生機能が起動され、図５の５０３にあるように、ＭＰ３の再生コントロール画面がディスプレイに表示される。
【図面の簡単な説明】
【００６６】
【図１】本実施形態に係る情報処理装置の１実施形態のハードウェア構成を示すブロック図である。
【図２】本実施形態に係るシステム全体の流れを示す図である。
【図３】本実施形態に係るシステム全体の流れを示す図である。
【図４】本実施形態に係る実施例における操作例を示す図である。
【図５】本実施形態に係る実施例における操作例を示す図である。
【図６】本実施形態における装置概観の一例を示す図である。
【符号の説明】
【００６７】
１  画像入力手段
２  画像表示手段
３  入出力Ｉ／Ｆ部
４  ＣＰＵ
５  プログラムメモリ
６  データメモリ
７  ファイルＤＢ
８  履歴ＤＢ
９  バス
【図１】
2006246020.tif 000003
【図２】
2006246020.tif 000004
【図３】
2006246020.tif 000005
【図４】
2006246020.tif 000006
【図５】
2006246020.tif 000007
【図６】
2006246020.tif 000008